(57)【要約】【課題】表示品位の改善を可能とする。【解決手段】隣り合う第１照明部及び第２照明部を備えた照明装置と、前記第１照明部によって照明される第１表示部と、前記第２照明部によって照明される第２表示部とを備え、前記照明装置に固定された表示パネルと、前記照明装置及び前記表示パネルを制御する制御部と、を備え、前記制御部は、前記照明装置と前記表示パネルとのずれ量に基づいて、前記第１表示部のうち、前記第２表示部に隣接するサブ表示部の変調率を制御する、表示装置。【選択図】図１
2018116181.tif 000002
【特許請求の範囲】
【請求項１】
隣り合う第１照明部及び第２照明部を備えた照明装置と、
前記第１照明部によって照明される第１表示部と、前記第２照明部によって照明される第２表示部とを備え、前記照明装置に固定された表示パネルと、
前記照明装置及び前記表示パネルを制御する制御部と、を備え、
前記制御部は、前記照明装置と前記表示パネルとのずれ量に基づいて、前記第１表示部のうち、前記第２表示部に隣接するサブ表示部の変調率を制御する、表示装置。
【請求項２】
前記照明装置は、前記第１照明部に向けて発光する第１光源と、前記第２照明部に向けて発光する第２光源と、を備え、前記第１照明部及び前記第２照明部は第１方向に並んでいる、請求項１に記載の表示装置。
【請求項３】
前記照明装置は、前記第１照明部及び前記第２照明部に向けて発光する光源を備え、前記第１照明部及び前記第２照明部は第２方向に並んでいる、請求項１に記載の表示装置。
【請求項４】
前記制御部は、前記第１表示部に画像を表示するのに必要な前記第１照明部の第１輝度レベルと、前記第２表示部に画像を表示するのに必要な前記第２照明部の第２輝度レベルと、前記ずれ量と、に基づいて、前記第１表示部を駆動するための第１映像信号、及び、前記第２表示部を駆動するための第２映像信号を生成する、請求項１乃至３のいずれか１項に記載の表示装置。
【請求項５】
前記サブ表示部は、前記第２照明部と重なり、
前記制御部は、前記第２輝度レベルに基づいて、前記サブ表示部を駆動するための補正映像信号を生成する、請求項４に記載の表示装置。
【請求項６】
隣り合う第１照明部及び第２照明部を備えた照明装置と、
前記第１照明部によって照明される第１表示部と、前記第２照明部によって照明される第２表示部とを備えた表示パネルと、を備えた表示装置の駆動方法であって、
前記照明装置と前記表示パネルとのずれ量に基づいて、前記第１表示部のうち、前記第２表示部に隣接するサブ表示部の変調率を制御する、表示装置の駆動方法。
【請求項７】
前記変調率を制御する工程は、
前記第１表示部に画像を表示するのに必要な前記第１照明部の第１輝度レベルと、前記第２表示部に画像を表示するのに必要な前記第２照明部の第２輝度レベルと、をそれぞれ設定し、
前記第１輝度レベル及び前記第２輝度レベルと、前記ずれ量と、に基づいて、前記第１表示部を駆動するための第１映像信号、及び、前記第２表示部を駆動するための第２映像信号を生成し、
前記第２輝度レベルに基づいて、前記サブ表示部を駆動するための補正映像信号を生成し、
前記補正映像信号に基づいて前記サブ表示部を駆動する工程を含む、請求項６に記載の表示装置の駆動方法。
【請求項８】
照明装置及び前記照明装置に固定された表示パネルを備えた表示装置に、検査画面を表示させ、
表示された検査画面の輝度分布に基づいて前記照明装置と前記表示パネルとのずれ量を測定し、
前記ずれ量に基づいた調整パラメータを前記表示装置に書き込む、表示装置の検査方法であって、
前記検査画面を表示させる工程は、
前記照明装置の第１照明部を第１輝度レベルに設定するとともに、前記第１照明部に隣り合う第２照明部を第２輝度レベルに設定し、
前記表示パネルの第１表示部を第１映像信号に基づいて駆動するとともに、前記第１表示部に隣り合う第２表示部を第２映像信号に基づいて駆動する工程を含み、
前記第１輝度レベルは前記第２輝度レベルとは異なり、前記第１画像データは前記第２画像データとは異なる、表示装置の検査方法。
【発明の詳細な説明】
【技術分野】
【０００１】
この実施形態は、表示装置、表示装置の駆動方法、及び、表示装置の検査方法に関する。
【背景技術】
【０００２】
近年、液晶表示パネル及び領域分割駆動可能である照明装置を備えた表示装置において、画像信号に基づいて照明装置の駆動及び液晶表示パネルへの画像信号を補正する技術が提案されている。
【先行技術文献】
【特許文献】
【０００３】
【特許文献１】特開２０１６−４０９９号公報
【発明の概要】
【発明が解決しようとする課題】
【０００４】
本実施形態の目的は、表示品位を改善することが可能な表示装置、表示装置の駆動方法、及び、表示装置の検査方法を提供することにある。
【課題を解決するための手段】
【０００５】
本実施形態によれば、
隣り合う第１照明部及び第２照明部を備えた照明装置と、前記第１照明部によって照明される第１表示部と、前記第２照明部によって照明される第２表示部とを備え、前記照明装置に固定された表示パネルと、前記照明装置及び前記表示パネルを制御する制御部と、を備え、前記制御部は、前記照明装置と前記表示パネルとのずれ量に基づいて、前記第１表示部のうち、前記第２表示部に隣接するサブ表示部の変調率を制御する、表示装置が提供される。
【０００６】
本実施形態によれば、
隣り合う第１照明部及び第２照明部を備えた照明装置と、前記第１照明部によって照明される第１表示部と、前記第２照明部によって照明される第２表示部とを備えた表示パネルと、を備えた表示装置の駆動方法であって、前記照明装置と前記表示パネルとのずれ量に基づいて、前記第１表示部のうち、前記第２表示部に隣接するサブ表示部の変調率を制御する、表示装置の駆動方法が提供される。
【０００７】
本実施形態によれば、
照明装置及び前記照明装置に固定された表示パネルを備えた表示装置に、検査画面を表示させ、表示された検査画面の輝度分布に基づいて前記照明装置と前記表示パネルとのずれ量を測定し、前記ずれ量に基づいた調整パラメータを前記表示装置に書き込む、表示装置の検査方法であって、前記検査画面を表示させる工程は、前記照明装置の第１照明部を第１輝度レベルに設定するとともに、前記第１照明部に隣り合う第２照明部を第２輝度レベルに設定し、前記表示パネルの第１表示部を第１映像信号に基づいて駆動するとともに、前記第１表示部に隣り合う第２表示部を第２映像信号に基づいて駆動する工程を含み、前記第１輝度レベルは前記第２輝度レベルとは異なり、前記第１画像データは前記第２画像データとは異なる、表示装置の検査方法が提供される。
【図面の簡単な説明】
【０００８】
【図１】図１は、本実施形態に係る表示装置ＤＳＰの構成を示すブロック図である。
【図２】図２は、本実施形態に係る表示装置ＤＳＰの構成例を示す分解斜視図である。
【図３】図３は、図１に示した表示パネルＰＮＬの基本構成及び等価回路を示す図である。
【図４】図４は、図１に示した表示装置ＤＳＰの第１方向Ｘに沿った断面を示す図である。
【図５】図５は、本実施形態に適用可能な表示装置ＤＳＰの検査方法を説明するための図である。
【図６】図６は、ずれ量ΔＸがゼロの状態の表示装置ＤＳＰに検査画面を表示させた状態を示す図である。
【図７】図７は、図６に示した表示装置ＤＳＰの各部を説明するための図である。
【図８】図８は、照明装置ＩＬ及び表示パネルＰＮＬが第１方向Ｘにずれた表示装置ＤＳＰに検査画面を表示させた状態を示す図である。
【図９】図９は、図８に示した表示装置ＤＳＰの各部を説明するための図である。
【図１０】図１０は、ずれ量ΔＹがゼロの状態の表示装置ＤＳＰに検査画面を表示させた状態を示す図である。
【図１１】図１１は、図１０に示した表示装置ＤＳＰの各部を説明するための図である。
【図１２】図１２は、照明装置ＩＬ及び表示パネルＰＮＬが第２方向Ｙにずれた表示装置ＤＳＰに検査画面を表示させた状態を示す図である。
【図１３】図１３は、図１２に示した表示装置ＤＳＰの各部を説明するための図である。
【図１４】図１４は、本実施形態に係る表示装置ＤＳＰの駆動方法を説明するための図である。
【図１５】図１５は、メモリ１１２に記憶されている輝度分布データの一例を示している。
【図１６】図１６は、画像処理部１１１によって算出された輝度プロファイルの一例を示す図である。
【図１７】図１７は、照明部と表示部との位置関係を第１方向Ｘにシフトさせた状態を説明するための図である。
【図１８】図１８は、照明部と表示部との位置関係を第２方向Ｙにシフトさせた状態を説明するための図である。
【図１９】図１９は、本実施形態に適用可能な照明装置ＩＬ及び表示パネルＰＮＬの他の構成例を示す図である。
【発明を実施するための形態】
【０００９】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１０】
図１は、本実施形態に係る表示装置ＤＳＰの構成を示すブロック図である。  
表示装置ＤＳＰは、制御部１００と、表示パネルＰＮＬと、照明装置ＩＬと、を備えている。制御部１００は、表示パネルＰＮＬ及び照明装置ＩＬの制御を司るものである。表示パネルＰＮＬ及び照明装置ＩＬの詳細については後述する。
【００１１】
制御部１００は、信号処理部１１０と、パネルドライバ１２０と、光源ドライバ１３０と、を備えている。信号処理部１１０は、画像処理部１１１と、メモリ１１２と、タイミングコントローラ１１３と、を備えている。信号処理部１１０には、表示パネルＰＮＬに表示すべき画像に対応した画像データが入力される。画像処理部１１１は、入力された画像データを処理して、タイミングコントローラ１１３、パネルドライバ１２０、及び、光源ドライバ１３０にそれぞれ制御信号を出力する。タイミングコントローラ１１３は、画像処理部１１１から入力された制御信号を処理して、パネルドライバ１２０及び光源ドライバ１３０にそれぞれ制御信号を出力する。画像処理部１１１及びタイミングコントローラ１１３において各種制御信号を生成するのに必要なプログラムや、後述する光源の光源毎の輝度分布データや、後述するずれ量に応じた調整パラメータなどは、メモリ１１２に記憶されている。画像処理部１１１からパネルドライバ１２０に出力される制御信号には、表示パネルＰＮＬの各画素を所定の階調値で駆動するための映像信号あるいは補正映像信号が含まれる。タイミングコントローラ１１３からパネルドライバ１２０に出力される制御信号には、同期信号が含まれる。画像処理部１１１から光源ドライバ１３０に出力される制御信号には、照明装置ＩＬの光源を所定の輝度レベルで駆動するための駆動信号が含まれる。タイミングコントローラ１１３から光源ドライバ１３０に出力される制御信号には、画素が駆動されるタイミングと光源が駆動されるタイミングとを同期させる同期信号が含まれる。  
パネルドライバ１２０は、画像処理部１１１及びタイミングコントローラ１１３からの制御信号に基づいて、表示パネルＰＮＬの変調率（透過率または反射率）を制御する。光源ドライバ１３０は、画像処理部１１１及びタイミングコントローラ１１３からの制御信号に基づいて、照明装置ＩＬの駆動を制御する。
【００１２】
図２は、本実施形態に係る表示装置ＤＳＰの構成例を示す分解斜視図である。図中において、第１方向Ｘ及び第２方向Ｙは互いに交差する方向であり、第３方向Ｚは第１方向Ｘ及び第２方向Ｙと交差する方向である。一例では、第１方向Ｘ、第２方向Ｙ、及び、第３方向Ｚは、互いに直交しているが、互いに９０度以外の角度で交差していても良い。本明細書において、第３方向Ｚを示す矢印の先端に向かう方向を上方（あるいは、単に上）と称し、矢印の先端から逆に向かう方向を下方（あるいは、単に下）と称する。また、第３方向Ｚを示す矢印の先端側に表示装置ＤＳＰを観察する観察位置があるものとし、この観察位置から、第１方向Ｘ及び第２方向Ｙで規定されるＸ−Ｙ平面に向かって見ることを平面視という。
【００１３】
表示装置ＤＳＰは、アクティブマトリクス型の表示パネルＰＮＬ、表示パネルＰＮＬを照明する照明装置ＩＬ、表示パネルＰＮＬと照明装置ＩＬとを固定する両面テープＴＰなどを備えている。照明装置ＩＬは、光学シートＯＳ、フレームＦＲ、導光板ＬＧ、光源ユニットＬＵ、反射シートＲＳ、ベゼルＢＺなどを備えている。
【００１４】
表示パネルＰＮＬは、第１基板ＳＵＢ１と、第１基板ＳＵＢ１と対向した第２基板ＳＵＢ２と、第１基板ＳＵＢ１と第２基板ＳＵＢ２との間に保持された液晶層と、を備えている。なお、液晶層は、表示パネルＰＮＬの厚みに比べて極めて薄く、第１基板ＳＵＢ１と第２基板ＳＵＢ２とを貼り合せるシール材の内側に位置しているため、その図示を省略している。表示パネルＰＮＬは、第１基板ＳＵＢ１と第２基板ＳＵＢ２とが対向する領域に画像を表示する表示領域ＤＡを有している。図示した例では、表示領域ＤＡは、長方形状に形成されている。表示パネルＰＮＬは、照明装置ＩＬからの光を選択的に透過することで画像を表示する透過表示機能を備えた透過型である。なお、表示パネルＰＮＬは、透過表示機能に加えて、外光を選択的に反射することで画像を表示する反射表示機能を備えていても良い。また、本実施形態では、基板主面にほぼ平行な横電界を利用する表示モード、基板主面に対してほぼ垂直な縦電界を利用する表示モード、基板主面に対して傾斜した傾斜電界を利用する表示モード、或いは、それらを組み合わせて利用する表示モードのいずれも適用可能である。ここでの基板主面とは、Ｘ−Ｙ平面と平行な面である。  
図示した例では、表示パネルＰＮＬを駆動するのに必要な信号を供給する信号供給源として、ＩＣチップＣＰ及びフレキシブルプリント回路基板ＦＰＣ１が第１基板ＳＵＢ１に実装されている。
【００１５】
導光板ＬＧは、フレームＦＲとベゼルＢＺとの間に位置している。図示した例では、導光板ＬＧは、平板状に形成され、第１主面ＬＧＡ、第１主面ＬＧＡとは反対側の第２主面ＬＧＢ、及び、側面ＬＧＣを有している。第１主面ＬＧＡ及び第２主面ＬＧＢはいずれもＸ−Ｙ平面と平行であり、側面ＬＧＣはＸ−Ｚ平面と平行である。  
光源ユニットＬＵは、側面ＬＧＣに沿って配置されている。光源ユニットＬＵは、複数の光源ＬＳ、これらの光源ＬＳが実装されるフレキシブル回路基板ＦＰＣ２などを備えている。光源ＬＳは、例えば発光ダイオードである。複数の光源ＬＳは、第１方向Ｘに並び、側面ＬＧＣに向けて発光する。  
反射シートＲＳは、光反射性を有しており、ベゼルＢＺと導光板ＬＧの第２主面ＬＧＢとの間に位置している。  
光学シートＯＳは、拡散シートＯＳＡ、プリズムシートＯＳＢ、プリズムシートＯＳＣ、拡散シートＯＳＤなどを含む。光学シートＯＳは、第３方向Ｚに沿って積層され、表示パネルＰＮＬと導光板ＬＧの第１主面ＬＧＡとの間に位置している。  
フレームＦＲは、表示パネルＰＮＬとベゼルＢＺとの間に位置している。図示した例では、フレームＦＲは、矩形枠状に形成されている。  
両面テープＴＰは、表示領域ＤＡの外側で表示パネルＰＮＬと照明装置ＩＬとの間に位置し、両者を接着している。この両面テープＴＰは、例えば、矩形枠状に形成されている。  
ベゼルＢＺは、上記の表示パネルＰＮＬ及び照明装置ＩＬを収容している。図示した例では、照明装置ＩＬは、表示パネルＰＮＬを背面側、つまり第１基板ＳＵＢ１と対向する側から照明するバックライトユニットとして機能する。
【００１６】
光源ＬＳから出射された光は、導光板ＬＧを伝播された後に、光学シートＯＳを透過し、表示パネルＰＮＬに導かれる。このとき、個々の光源ＬＳの輝度レベルは、供給される電流の大きさやパルス幅変調駆動などによって独立に制御される。光源ＬＳから導光板ＬＧを経た光で表示パネルＰＮＬを照明する照明装置ＩＬは、各々の光源ＬＳが制御されることにより、Ｘ−Ｙ平面内においてそれぞれ輝度レベルを独立に設定可能な領域を形成することができる。例えば、第１方向Ｘに並んだ光源ＬＳの輝度レベルが独立に制御されることにより、照明装置ＩＬは第１方向Ｘに並んだ複数の領域においてそれぞれ独立に輝度レベルを設定することができる。また、単一の光源ＬＳは、導光板ＬＧに向けて出射した光の進行方向（図中の第２方向Ｙを示す矢印の逆向きの方向）に沿って輝度レベルが異なる輝度分布を形成するように制御することができる。このような輝度分布が制御されることにより、照明装置ＩＬは、第２方向Ｙに並んだ複数の領域においてそれぞれ独立に輝度レベルを設定することができる。照明装置ＩＬにおいて輝度レベルを設定可能な領域は、後述する照明部に相当する。なお、本実施形態では、光源ＬＳの輝度レベルあるいは照明部の輝度レベルとは、光源ＬＳに供給される電流値の範囲において、最大輝度レベルを１００％とし、最小輝度レベルを０％とする。
【００１７】
図３は、図１に示した表示パネルＰＮＬの基本構成及び等価回路を示す図である。表示パネルＰＮＬは、表示領域ＤＡにおいて、複数の画素ＰＸを備えている。複数の画素ＰＸは、第１方向Ｘ及び第２方向Ｙにマトリクス状に配置されている。また、表示パネルＰＮＬは、表示領域ＤＡにおいて、複数本の走査線Ｇ（Ｇ１〜Ｇｎ）、複数本の信号線Ｓ（Ｓ１〜Ｓｍ）、共通電極ＣＥなどを備えている。走査線Ｇは、各々第１方向Ｘに延出し、第２方向Ｙに間隔を置いて並んでいる。信号線Ｓは、各々第２方向Ｙに延出し、第１方向Ｘに間隔を置いて並んでいる。なお、走査線Ｇ及び信号線Ｓは、必ずしも直線的に延出していなくても良く、それらの一部が屈曲していてもよい。それら一部が屈曲した走査線Ｇ及び信号線Ｓであっても第１方向Ｘ及び第２方向Ｙに延出するものとする。共通電極ＣＥは、複数の画素ＰＸに亘って配置されている。
【００１８】
パネルドライバ１２０は、信号線駆動回路ＳＤ、走査線駆動回路ＧＤ、及び、共通電極駆動回路ＣＤを備えている。走査線Ｇは、走査線駆動回路ＧＤに接続されている。信号線Ｓは、信号線駆動回路ＳＤに接続されている。共通電極ＣＥは、共通電極駆動回路ＣＤに接続されている。信号線駆動回路ＳＤ、走査線駆動回路ＧＤ、及び、共通電極駆動回路ＣＤは、非表示領域ＮＤＡにおいて、図２に示した第１基板ＳＵＢ１上に形成されても良いし、これらの一部或いは全部が図２に示したＩＣチップＣＰに内蔵されていても良いし、フレキシブルプリント回路基板ＦＰＣ１に別途実装されたＩＣチップに内蔵されていても良い。
【００１９】
各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと接続されている。信号線Ｓは、第２方向Ｙに並んだ画素ＰＸの各々におけるスイッチング素子ＳＷと接続されている。画素電極ＰＥは、スイッチング素子ＳＷと電気的に接続されている。画素電極ＰＥの各々は、共通電極ＣＥと対向している。液晶層ＬＣは、画素電極ＰＥと共通電極ＣＥとの間に生じる電界によって駆動される。保持容量ＣＳは、例えば、共通電極ＣＥと同電位の電極、及び、画素電極ＰＥと同電位の電極の間に形成される。
【００２０】
表示パネルＰＮＬは、複数の画素ＰＸによって構成される表示部Ｐを備えている。例えば、表示部Ｐは、第１方向Ｘに並んだ画素ＰＸの個数をａとし、第２方向Ｙに並んだ画素ＰＸの個数をｂとしたとき、ａ＊ｂ個の画素によって構成される。なお、ａ及びｂはいずれも１以上の整数である。複数の表示部Ｐは、第１方向Ｘ及び第２方向Ｙにマトリクス状に配置されている。画素ＰＸには、映像信号が書込まれ、所定の階調値で駆動される。透過型の表示パネルＰＮＬでは、液晶層ＬＣに印加される電圧範囲において、表示パネルＰＮＬの最小透過率を最小階調値に割り当て、最大透過率を最大階調値に割り当てることができ、中間の透過率を複数の中間階調値に割り当てることができる。なお、反射型の表示パネルＰＮＬでは、反射率をそれぞれ階調値に割り当てることができる。液晶表示パネルにおいては、液晶印加電圧の大きさに応じて透過率または反射率が変化する。本明細書では、これらの透過率及び反射率は、表示パネルの変調率と称する場合がある。
【００２１】
図４は、図１に示した表示装置ＤＳＰの第１方向Ｘに沿った断面を示す図である。図示した例は、表示装置ＤＳＰの一例として、横電界を利用する表示モードの液晶表示装置に相当する。
【００２２】
表示パネルＰＮＬは、第１光学素子ＯＤ１、第２光学素子ＯＤ２、第１基板ＳＵＢ１、第２基板ＳＵＢ２、液晶層ＬＣなどを備えている。第１基板ＳＵＢ１、第２基板ＳＵＢ２、及び、液晶層ＬＣは、第１光学素子ＯＤ１と第２光学素子ＯＤ２との間に位置している。液晶層ＬＣは、第１基板ＳＵＢ１と第２基板ＳＵＢ２との間に位置している。第１光学素子ＯＤ１は、第１偏光板ＰＬ１を備えている。第２光学素子ＯＤ２は、第２偏光板ＰＬ２を備えている。第１偏光板ＰＬ１の吸収軸と第２偏光板ＰＬ２の吸収軸とは、例えばＸ−Ｙ平面において互いに直交している。
【００２３】
第１基板ＳＵＢ１は、第１絶縁基板１０、スイッチング素子ＳＷ、第１絶縁膜１１、共通電極ＣＥ、第２絶縁膜１２、画素電極ＰＥ、第１配向膜ＡＬ１などを備えている。第１絶縁基板１０は、ガラス基板や樹脂基板などである。スイッチング素子ＳＷは、第１絶縁基板１０の上に位置している。第１絶縁膜１１は、第１絶縁基板１０及びスイッチング素子ＳＷの上に位置している。共通電極ＣＥは、第１絶縁膜１１の上に位置している。第２絶縁膜１２は、共通電極ＣＥの上に位置している。画素電極ＰＥは、第２絶縁膜１２の上に位置し、第２絶縁膜１２を介して共通電極ＣＥと対向している。画素電極ＰＥには、スリットＳＬが形成されている。画素電極ＰＥは、スイッチング素子と電気的に接続されている。共通電極ＣＥ及び画素電極ＰＥは、例えば、インジウム・ティン・オキサイド（ＩＴＯ）やインジウム・ジンク・オキサイド（ＩＺＯ）などの透明な導電材料によって形成されている。第１配向膜ＡＬ１は、第２絶縁膜１２及び画素電極ＰＥを覆っている。
【００２４】
第２基板ＳＵＢ２は、第２絶縁基板２０、遮光層ＢＭ、カラーフィルタＣＦ１乃至ＣＦ３、オーバーコート層ＯＣ、第２配向膜ＡＬ２などを備えている。第２絶縁基板２０は、ガラス基板や樹脂基板などである。遮光層ＢＭ、及び、カラーフィルタＣＦ１乃至ＣＦ３は、第２絶縁基板２０の第１基板ＳＵＢ１と対向する側に位置している。カラーフィルタＣＦ１乃至ＣＦ３は、例えば、赤色カラーフィルタ、緑色カラーフィルタ、青色カラーフィルタであるが、その他の色フィルタであっても良いし、さらに白色層または透明層が追加されても良い。赤色カラーフィルタＣＦ１は赤色を表示する赤色画素（Ｒ）に配置され、緑色カラーフィルタＣＦ２は緑色を表示する緑色画素（Ｇ）に配置され、青色カラーフィルタＣＦ３は青色を表示する青色画素（Ｂ）に配置される。また、白色層または透明層は、実質的に白色を表示する白色画素（Ｗ）に配置される。オーバーコート層ＯＣは、カラーフィルタＣＦ１乃至ＣＦ３を覆っている。第２配向膜ＡＬ２は、オーバーコート層ＯＣを覆っている。第１配向膜ＡＬ１及び第２配向膜ＡＬ２は、例えば、液晶層ＬＣに含まれる液晶分子ＬＭを基板主面と略平行な方向に配向する水平配向性を示す。液晶層ＬＣは、第１配向膜ＡＬ１及び第２配向膜ＡＬ２の間に位置している。
【００２５】
図５は、本実施形態に適用可能な表示装置ＤＳＰの検査方法を説明するための図である。ここでは、照明装置ＩＬと表示パネルＰＮＬとが固定された表示装置ＤＳＰの点灯検査について説明する。  
まず、表示装置ＤＳＰに検査画面を表示させる（ステップＳＴ１１）。検査画面を表示させる工程の一例については、後述するが、照明装置ＩＬでは、互いに隣り合う照明部がそれぞれ異なる輝度レベルに設定される。また、表示パネルＰＮＬでは、互いに隣り合う表示部がそれぞれ異なる映像信号に基づいて駆動され、異なる透過率に設定される。  
続いて、表示領域ＤＡに表示された検査画面の輝度分布を測定し、測定した輝度分布に基づいて、照明装置ＩＬと表示パネルＰＮＬとのずれ量を測定する（ステップＳＴ１２）。ずれ量を測定する工程の具体例については、後述するが、例えば、ずれ量がゼロの場合に表示された検査画面の輝度分布と、測定された輝度分布とを比較することで、ずれ量を測定することができる。ここでは、第１方向Ｘに沿ったずれ量ΔＸ及び第２方向Ｙに沿ったずれ量ΔＹを測定することができる。表示領域ＤＡの輝度分布は、例えば、照明部の輝度レベル及び表示部の透過率に基づいて得られる。  
続いて、測定されたずれ量に基づいた調整パラメータを表示装置ＤＳＰに書き込む（ステップＳＴ１３）。例えば、調整パラメータは、ずれ量ΔＸ及びΔＹの長さを画素数に置換することで得られる。例えば、表示パネルＰＮＬの主画素（赤色画素、緑色画素、青色画素を含む）の第１方向Ｘに沿った幅が１００μｍであり、測定されたずれ量ΔＸが２００μｍである場合、調整パラメータは、第１方向Ｘについて、『２画素分』であると算出される。調整パラメータは、例えば、図１を参照して説明したメモリ１１２に記憶される。
【００２６】
図６は、ずれ量ΔＸがゼロの状態の表示装置ＤＳＰに検査画面を表示させた状態を示す図である。図中の（ａ）は検査画面が表示された表示領域ＤＡを示す図であり、図中の（ｂ）は（ａ）に示した表示領域ＤＡのＡ−Ａ線に沿った輝度分布（実線）、照明装置ＩＬの輝度分布（一点鎖線）、及び、表示パネルＰＮＬの透過率分布（二点鎖線）をそれぞれ示す図である。
【００２７】
表示領域ＤＡは、第１方向Ｘに並んだ領域Ｄ１１乃至Ｄ１３、及び、領域Ｄ２１乃至Ｄ２３を有している。領域Ｄ１１及びＤ２１は第２方向Ｙに並び、領域Ｄ１２及びＤ２２は第２方向Ｙに並び、領域Ｄ１３及びＤ２３は第２方向Ｙに並んでいる。検査画面が表示領域ＤＡに表示された状態では、領域Ｄ１２には白画面（最大階調値）が表示され、領域Ｄ１１及びＤ１３には黒画面（最小階調値）が表示され、領域Ｄ２１乃至Ｄ２３にはグレー画面（中間階調値）が表示される。
【００２８】
照明装置ＩＬは、領域Ｄ１２に白画面を表示させ且つ領域Ｄ１１及びＤ１３に黒画面を表示させるべく、領域Ｄ１２に向かう光の輝度レベルと、領域Ｄ１１及びＤ１３に向かう光の輝度レベルとを制御する。このとき、領域Ｄ１１及びＤ１３に向かう光は、それぞれ領域Ｄ２１及びＤ２３にも向かうため、領域Ｄ２１及びＤ２３にそれぞれグレー画面を表示させるべく必要な光の輝度レベルに制御される。一方で、表示パネルＰＮＬは、照明装置ＩＬの輝度レベルを考慮した透過率に制御される。これにより、領域Ｄ２１乃至Ｄ２３においては、ほぼ均一な輝度分布のグレー画面となる。このような制御については、図７を参照して具体的に説明する。
【００２９】
図７は、図６に示した表示装置ＤＳＰの各部を説明するための図である。ここでは、照明装置ＩＬ、表示パネルＰＮＬ、及び、表示領域ＤＡの各々について、Ｘ−Ｙ平面における各部を模式的に示している。照明装置ＩＬは、第１方向Ｘに並んだ照明部ＡＸ１乃至ＡＸ３を備えている。光源ＬＳ１乃至ＬＳ３は、第１方向Ｘに並び、それぞれ第２方向Ｙの矢印とは逆向きに導光板ＬＧに向けて発光する。図示した例では、光源ＬＳ１乃至ＬＳ３は、それぞれ照明部ＡＸ１乃至ＡＸ３を個別に照明するものとする。表示パネルＰＮＬは、第１方向Ｘに並んだ表示部Ｐ１１乃至Ｐ１３、及び、第１方向Ｘに並んだ表示部Ｐ２１乃至Ｐ２３を備えている。これらの表示部Ｐ１１乃至Ｐ１３及び表示部Ｐ２１乃至Ｐ２３は、図３などを参照して説明した通り、それぞれマトリクス状に配置された複数の画素ＰＸによって構成されている。表示部Ｐ１１及びＰ２１は、第２方向Ｙに並び、いずれも照明部ＡＸ１と重なり、照明部ＡＸ１によって照明される。表示部Ｐ１２及びＰ２２は、第２方向Ｙに並び、いずれも照明部ＡＸ２と重なり、照明部ＡＸ２によって照明される。表示部Ｐ１３及びＰ２３は、第２方向Ｙに並び、いずれも照明部ＡＸ３と重なり、照明部ＡＸ３によって照明される。
【００３０】
一例では、照明部ＡＸ１及びＡＸ３の輝度レベルはそれぞれ５０％に設定され、照明部ＡＸ２の輝度レベルは１００％に設定される。なお、照明部ＡＸ１乃至ＡＸ３の各々について、第１方向Ｘ及び第２方向Ｙに沿った輝度レベルは一定であるものとする。  
表示部Ｐ１１及びＰ１３の透過率はそれぞれ０％に設定され、表示部Ｐ１２、Ｐ２１、Ｐ２３の透過率はそれぞれ１００％に設定され、表示部Ｐ２２の透過率は５０％に設定される。
【００３１】
表示領域ＤＡにおける各領域の輝度レベルは、例えば、照明部の輝度レベルと表示部の透過率との積で表すことができる。領域Ｄ１１及びＤ１３の輝度レベルは、それぞれ対応する表示部Ｐ１１及びＰ１３の透過率が０％であるため、０％となる。領域Ｄ１２の輝度レベルは、対応する表示部Ｐ１２の透過率が１００％であり、照明部ＡＸ２の輝度レベルが１００％であるため、１００％となる。これにより、領域Ｄ１１及びＤ１３にはそれぞれ最小階調値に対応した黒画面が表示され、領域Ｄ１２には最大階調値に対応した白画面が表示される。  
領域Ｄ２１及びＤ２３の輝度レベルは、それぞれ対応する表示部Ｐ２１及びＰ２３の透過率が１００％であり、照明部ＡＸ１及びＡＸ３の輝度レベルが５０％であるため、５０％となる。領域Ｄ２２の輝度レベルは、対応する表示部Ｐ２２の透過率が５０％であり、照明部ＡＸ２の輝度レベルが１００％であるため、５０％となる。これにより、領域Ｄ２１乃至Ｄ２３には、中間階調に対応したグレー画面が表示され、しかも、領域Ｄ２１乃至Ｄ２３の輝度レベルは均一となる。
【００３２】
このように、図６及び図７を参照して説明した検査画面の輝度分布は、図５を参照して説明したステップＳＴ１２のずれ量ΔＸがゼロの場合の第１輝度分布に相当し、この第１輝度分布はずれ量ΔＸを測定する際の基準とすることができる。
【００３３】
図８は、照明装置ＩＬ及び表示パネルＰＮＬが第１方向Ｘにずれた表示装置ＤＳＰに検査画面を表示させた状態を示す図である。図中の（ａ）は検査画面が表示された表示領域ＤＡを示す図であり、図中の（ｂ）は（ａ）に示した表示領域ＤＡのＡ−Ａ線に沿った輝度分布（実線）、照明装置ＩＬの輝度分布（一点鎖線）、及び、表示パネルＰＮＬの透過率分布（二点鎖線）をそれぞれ示す図である。
【００３４】
図８の（ａ）に示すように、領域Ｄ１２は、領域Ｄ１１に隣接するサブ領域Ｄ１２１、及び、領域Ｄ１３に隣接するサブ領域Ｄ１２２を含む。図示した例では、サブ領域Ｄ１２１には図６に示した例と同様に白画面が表示される一方で、サブ領域Ｄ１２２には白画面とは異なる階調値の画面が表示される。  
領域Ｄ２１も同様に、サブ領域Ｄ２１１及びＤ２１２を含み、サブ領域Ｄ２１２は領域Ｄ２２に隣接している。図示した例では、サブ領域Ｄ２１１にはグレー画面が表示される一方で、サブ領域Ｄ２１２にはグレー画面とは異なる階調値の画面が表示される。  
領域Ｄ２２も同様に、サブ領域Ｄ２２１及びＤ２２２を含み、サブ領域Ｄ２２２は領域Ｄ２３に隣接している。図示した例では、サブ領域Ｄ２２１にはグレー画面が表示される一方で、サブ領域Ｄ２２２にはグレー画面とは異なる階調値の画面が表示される。
【００３５】
図８の（ｂ）に示すように、照明装置ＩＬの輝度分布は、図６に示した例と比較して、表示パネルＰＮＬの透過率分布と第１方向Ｘにずれている。このため、表示領域ＤＡのＡ−Ａ線に沿った輝度分布は、一定にならない。このような現象について、図８を参照して具体的に説明する。
【００３６】
図９は、図８に示した表示装置ＤＳＰの各部を説明するための図である。ここでは、照明装置ＩＬ及び表示パネルＰＮＬは、第１方向Ｘにずれ量ΔＸでずれており、第２方向Ｙにはずれていない場合を想定している。
【００３７】
図７に示した例と同様に、照明部ＡＸ１及びＡＸ３の輝度レベルはそれぞれ５０％に設定され、照明部ＡＸ２の輝度レベルは１００％に設定される。表示部Ｐ１１及びＰ１３の透過率はそれぞれ０％に設定され、表示部Ｐ１２、Ｐ２１、Ｐ２３の透過率はそれぞれ１００％に設定され、表示部Ｐ２２の透過率は５０％に設定される。
【００３８】
領域Ｄ１１及びＤ１３の輝度レベルは、それぞれ対応する表示部Ｐ１１及びＰ１３の透過率が０％であるため、０％となる。領域Ｄ２３の輝度レベルは、対応する表示部Ｐ２３の透過率が１００％であり、照明部ＡＸ３の輝度レベルが５０％であるため、５０％となる。これらの領域では、ずれ量ΔＸがゼロの場合と同様に、所望の輝度レベルが得られる。
【００３９】
領域Ｄ１２のうち、サブ領域Ｄ１２１の輝度レベルは、対応する表示部Ｐ１２の透過率が１００％であり、照明部ＡＸ２の輝度レベルが１００％であるため、１００％となる。一方、サブ領域Ｄ１２２の輝度レベルは、対応する表示部Ｐ１２の透過率が１００％であるが、輝度レベルが５０％の照明部ＡＸ３と重なるため、５０％となる。  
領域Ｄ２１のうち、サブ領域Ｄ２１１の輝度レベルは、対応する表示部Ｐ２１の透過率が１００％であり、照明部ＡＸ１の輝度レベルが５０％であるため、５０％となる。一方、サブ領域Ｄ２１２の輝度レベルは、対応する表示部Ｐ２１の透過率が１００％であるが、輝度レベルが１００％の照明部ＡＸ２と重なるため、１００％となる。  
領域Ｄ２２のうち、サブ領域Ｄ２２１の輝度レベルは、対応する表示部Ｐ２２の透過率が５０％であり、照明部ＡＸ２の輝度レベルが１００％であるため、５０％となる。一方、サブ領域Ｄ２２２の輝度レベルは、対応する表示部Ｐ２２の透過率が５０％であるが、輝度レベルが５０％の照明部ＡＸ３と重なるため、２５％となる。  
このように、第１方向Ｘにずれ量ΔＸが生じた場合、本来同一の輝度レベルとなるべき単一の領域が、輝度レベルの異なる２つのサブ領域によって構成されてしまい、これらのサブ領域で所望の輝度レベルが得られなくなる。
【００４０】
図８及び図９を参照して説明した検査画面の輝度分布は、図５を参照して説明したステップＳＴ１２においてずれ量ΔＸを測定する際の測定対象の第２輝度分布に相当する。そして、第２輝度分布は、上記の第１輝度分布と比較される。そして、ずれ量ΔＸは、第１輝度分布と第２輝度分布との差分によって測定される。
【００４１】
図１０は、ずれ量ΔＹがゼロの状態の表示装置ＤＳＰに検査画面を表示させた状態を示す図である。図中の（ａ）は検査画面が表示された表示領域ＤＡを示す図であり、図中の（ｂ）は（ａ）に示した表示領域ＤＡのＢ−Ｂ線に沿った輝度分布（実線）、照明装置ＩＬの輝度分布（一点鎖線）、及び、表示パネルＰＮＬの透過率分布（二点鎖線）をそれぞれ示す図である。
【００４２】
表示領域ＤＡは、第２方向Ｙに並んだ領域Ｄ３１及びＤ３２を有している。検査画面が表示領域ＤＡに表示された状態では、領域Ｄ３１及びＤ３２には、グレー画面（中間階調値）が表示される。  
照明装置ＩＬは、領域Ｄ３１及びＤ３２にグレー画面を表示させるべく、領域Ｄ３１及びＤ３２に向かう光の輝度レベルを制御する。このとき、領域Ｄ３１及びＤ３２が第２方向Ｙに沿って異なる輝度レベルの輝度分布を有する場合を、表示パネルＰＮＬは、照明装置ＩＬの輝度レベルを考慮した透過率に制御される。これにより、領域Ｄ３１及びＤ３２においては、ほぼ均一な輝度分布のグレー画面となる。このような制御については、図１１を参照して具体的に説明する。
【００４３】
図１１は、図１０に示した表示装置ＤＳＰの各部を説明するための図である。ここでは、照明装置ＩＬ、表示パネルＰＮＬ、及び、表示領域ＤＡの各々について、Ｘ−Ｙ平面における各部を模式的に示している。照明装置ＩＬは、第２方向Ｙに並んだ照明部ＡＹ１及びＡＹ２を備えている。光源ＬＳ１は、第２方向Ｙの矢印とは逆向きに導光板ＬＧに向けて発光し、照明部ＡＹ１及びＡＹ２を照明するものとする。表示パネルＰＮＬは、第２方向Ｙに並んだ表示部Ｐ３１及びＰ３２を備えている。これらの表示部Ｐ３１及びＰ３２は、図３などを参照して説明した通り、それぞれマトリクス状に配置された複数の画素ＰＸによって構成されている。表示部Ｐ３１は、照明部ＡＹ１と重なり、照明部ＡＹ１によって照明される。表示部Ｐ３２は、照明部ＡＹ２と重なり、照明部ＡＹ２によって照明される。
【００４４】
一例では、照明部ＡＹ１の輝度レベルは１００％に設定され、照明部ＡＹ２の輝度レベルは５０％に設定される。表示部Ｐ３１の透過率は５０％に設定され、表示部Ｐ３２の透過率は１００％に設定される。  
領域Ｄ３１の輝度レベルは、対応する表示部Ｐ３１の透過率が５０％であり、照明部ＡＹ１の輝度レベルが１００％であるため、５０％となる。領域Ｄ３２の輝度レベルは、対応する表示部Ｐ３２の透過率が１００％であり、照明部ＡＹ２の輝度レベルが５０％であるため、５０％となる。これにより、領域Ｄ３１及びＤ３２には、中間階調に対応したグレー画面が表示され、しかも、領域Ｄ３１及びＤ３２の輝度レベルは均一となる。
【００４５】
このように、図１０及び図１１を参照して説明した検査画面の輝度分布は、図５を参照して説明したステップＳＴ１２のずれ量ΔＹがゼロの場合の第３輝度分布に相当し、この第３輝度分布はずれ量ΔＹを測定する際の基準とすることができる。
【００４６】
図１２は、照明装置ＩＬ及び表示パネルＰＮＬが第２方向Ｙにずれた表示装置ＤＳＰに検査画面を表示させた状態を示す図である。図中の（ａ）は検査画面が表示された表示領域ＤＡを示す図であり、図中の（ｂ）は（ａ）に示した表示領域ＤＡのＢ−Ｂ線に沿った輝度分布（実線）、照明装置ＩＬの輝度分布（一点鎖線）、及び、表示パネルＰＮＬの透過率分布（二点鎖線）をそれぞれ示す図である。
【００４７】
図１２の（ａ）に示すように、領域Ｄ３１は、サブ領域Ｄ３１１及びＤ３１２を含む。サブ領域Ｄ３１２は、領域Ｄ３２に隣接する。図示した例では、サブ領域Ｄ３１１及び領域Ｄ３２には、それぞれグレー画面が表示される。一方で、サブ領域Ｄ３１２には、グレー画面とは異なる階調値の画面が表示される。  
図１２の（ｂ）に示すように、照明装置ＩＬの輝度分布は、図１０に示した例と比較して、表示パネルＰＮＬの透過率分布と第２方向Ｙにずれている。このため、表示領域ＤＡのＢ−Ｂ線に沿った輝度分布は、一定にならない。このような現象について、図１３を参照して具体的に説明する。
【００４８】
図１３は、図１２に示した表示装置ＤＳＰの各部を説明するための図である。ここでは、照明装置ＩＬ及び表示パネルＰＮＬは、第２方向Ｙにずれ量ΔＹでずれており、第１方向Ｘにはずれていない場合を想定している。
【００４９】
図１１に示した例と同様に、照明部ＡＹ１の輝度レベルは１００％に設定され、照明部ＡＹ２の輝度レベルは５０％に設定される。表示部Ｐ３１の透過率は５０％に設定され、表示部Ｐ３２の透過率は１００％に設定される。
【００５０】
領域Ｄ３２の輝度レベルは、対応する表示部Ｐ３２の透過率が１００％であり、照明部ＡＹ２の輝度レベルが５０％であるため、５０％となる。つまり、領域Ｄ３２では、ずれ量ΔＹがゼロの場合と同様に、所望の輝度レベルが得られる。
【００５１】
領域Ｄ３１のうち、サブ領域Ｄ３１１の輝度レベルは、対応する表示部Ｐ３１の透過率が５０％であり、照明部ＡＹ１の輝度レベルが１００％であるため、５０％となる。一方、サブ領域Ｄ３１２の輝度レベルは、対応する表示部Ｐ３１の透過率が５０％であるが、輝度レベルが５０％の照明部ＡＹ２と重なるため、２５％となる。  
このように、第２方向Ｙにずれ量ΔＹが生じた場合も、本来同一の輝度レベルとなるべき単一の領域が、輝度レベルの異なる２つのサブ領域によって構成されてしまい、これらのサブ領域で所望の輝度レベルが得られなくなる。
【００５２】
図１２及び図１３を参照して説明した検査画面の輝度分布は、図５を参照して説明したステップＳＴ１２においてずれ量ΔＹを測定する際の測定対象の第４輝度分布に相当する。そして、第４輝度分布は、上記の第３輝度分布と比較される。そして、ずれ量ΔＹは、第３輝度分布と第４輝度分布との差分によって測定される。これらのずれ量ΔＸ及びΔＹに基づいた調整パラメータは、表示装置ＤＳＰのメモリ１１２に記憶される。
【００５３】
次に、上記ずれ量の測定に基づき、調整パラメータを記憶した表示装置ＤＳＰの駆動方法の一例について説明する。
【００５４】
図１４は、本実施形態に係る表示装置ＤＳＰの駆動方法を説明するための図である。表示装置ＤＳＰは、表示領域ＤＡに１画面を表示する１フレーム毎に以下の処理を行う。
【００５５】
まず、画像データが制御部１００に入力される（ステップＳＴ２１）。画像データは、図示したようなｉｍａｇｅを表示させるのに必要なデータである。ｉｍａｇｅには、明部（高階調部）及び暗部（低階調部）が含まれる場合がある。画像データは、カラー表示を実現するために、例えば、赤色に対応する赤（Ｒ）データと、緑色に対応する緑（Ｇ）データと、青色に対応する青（Ｂ）データとを含む場合がある。
【００５６】
続いて、制御部１００は、入力された画像データに基づいて、信号処理部１１０において各種処理を行う。すなわち、画像処理部１１１は、入力された画像データにガンマ補正を施し、画像データを線形化する（ステップＳＴ２２）。そして、画像処理部１１１は、線形化された画像データに基づき、各画素ＰＸを駆動するための映像信号を生成するとともに、画像解析処理を行う（ステップＳＴ２３）。画像解析処理では、画像データに基づいて、一画面分のｉｍａｇｅを分割したブロック毎に、輝度レベルが算出される。図示した例では、一画面分のｉｍａｇｅは、１０個のブロックＡ１乃至Ａ１０に分割される。ブロックＡ１乃至Ａ１０は、それぞれ光源ＬＳ１乃至ＬＳ１０によって照明される領域に相当する。一例では、ブロックＡ１乃至Ａ１０の各々の輝度レベルは、０％から１００％までの各段階に算出される。図示したように、例えば、最小階調値の暗部のみで構成されるブロックＡ３の輝度レベルは０％であり、最大階調値の明部を含むブロックＡ６の輝度レベルは１００％である。その他のブロックについても、例えば、ブロック内で最も明るい階調値の明部に合わせて輝度レベルが設定される。
【００５７】
続いて、画像処理部１１１は、光源ＬＳ１乃至ＬＳ１０の各々について、輝度レベルを設定する（ステップＳＴ２４）。一例では、光源ＬＳ１乃至ＬＳ１０の各々の輝度レベルは、ステップＳＴ２３で算出されたブロックＡ１乃至Ａ１０の各々の輝度レベルと同等に設定される。図示したように、例えば、ブロックＡ３を照明する光源ＬＳ３の輝度レベルは０％に設定され、ブロックＡ６を照明する光源ＬＳ６の輝度レベルは１００％に設定される。その他の光源についても、照明すべきブロックの輝度レベルと同等の輝度レベルに設定される。
【００５８】
続いて、画像処理部１１１は、光源ＬＳ１乃至ＬＳ１０の各々の輝度レベルに対応した輝度分布データをメモリ１１２から読み出し、輝度プロファイルを算出する（ＳＴ２５）。メモリ１１２には、光源ＬＳ１の輝度レベル０％から１００％までの輝度分布データが記憶されており、他の光源ＬＳ２乃至ＬＳ１０についても同様に各輝度レベルの輝度分布データが記憶されている。  
図１５は、メモリ１１２に記憶されている輝度分布データの一例を示している。図中の（ａ）は、光源ＬＳ３が輝度レベル１００％に設定された場合のＸ−Ｙ平面内の輝度分布データを表す図である。図中の（ｂ）は、光源ＬＳ５が輝度レベル１００％に設定された場合のＸ−Ｙ平面内の輝度分布データを表す図である。図中の（ｃ）は、光源ＬＳ１０が輝度レベル１００％に設定された場合のＸ−Ｙ平面内の輝度分布データを表す図である。図示したように、照明装置ＩＬの端部に位置する光源ＬＳ１０は光源ＬＳ２乃至ＬＳ９と同一の輝度レベルに設定された場合であっても、光源ＬＳ１０の最大輝度レベルは、光源ＬＳ２乃至ＬＳ９の最大輝度レベルとは異なる。照明装置ＩＬの全域に亘って均一な輝度レベルを実現するためには、隣接する光源からの光の影響を考慮する必要がある。端部に位置する光源ＬＳ１０は、その一方の側のみに光源ＬＳ９が隣接し、この１つの光源ＬＳ９の影響を受ける。一方、光源ＬＳ２乃至ＬＳ９は、それぞれの両方側に他の光源が隣接している。例えば、光源ＬＳ３は、隣接する２つの光源ＬＳ２及びＬＳ４の影響を受ける。このため、光源ＬＳ１乃至ＬＳ１０が同一輝度レベルに設定された場合、照明装置ＩＬの全域に亘って均一な輝度レベルを実現するためには、光源ＬＳ１及びＬＳ１０の最大輝度レベルは、その他の光源ＬＳ２乃至ＬＳ９の最大輝度レベルより高く設定される。光源ＬＳ１の最大輝度レベルは、図１５の（ｃ）に示した光源ＬＳ１０の最大輝度レベルと同等である。光源ＬＳ２乃至ＬＳ９の最大輝度レベルは、図１５の（ａ）及び（ｂ）に示した最大輝度レベルと同等である。ここでは、輝度レベル１００％の場合の各光源の輝度分布データについて述べたが、メモリ１１２には、その他の輝度レベルの場合の各光源の輝度分布データも記憶されている。  
そして、画像処理部１１１は、メモリ１１２から読み出した光源ＬＳ１乃至ＬＳ１０の各々の輝度分布データに基づいて、照明装置ＩＬの輝度プロファイルを算出する。図１６は、画像処理部１１１によって算出された輝度プロファイルの一例を示す図である。輝度プロファイルは、照明装置ＩＬのＸ−Ｙ平面内における各位置での輝度レベルをまとめたものに相当する。
【００５９】
続いて、画像処理部１１１は、メモリ１１２からずれ量ΔＸ及びΔＹに対応した調整パラメータを読み出し、算出した輝度プロファイルと表示パネルＰＮＬの表示部ＰとのＸ−Ｙ平面内での対応関係をシフトさせる（ステップＳＴ２６）。例えば、図９に示したように、ずれ量ΔＸが生じている場合、算出した輝度プロファイルを得るための照明部ＡＸ１乃至ＡＸ３の位置と、表示パネルＰＮＬの表示部Ｐ１１乃至Ｐ１３及びＰ２１乃至Ｐ２３の位置との対応関係を、ずれ量ΔＸの分だけ第１方向Ｘにシフトさせる。また、図１３に示したように、ずれ量ΔＹが生じている場合、算出した輝度プロファイルを得るための照明部ＡＹ１及びＡＹ２の位置と、表示パネルＰＮＬの表示部Ｐ３１及びＰ３１の位置との対応関係を、ずれ量ΔＹの分だけ第２方向Ｙにシフトさせる。これらの具体例については後述する。
【００６０】
続いて、画像処理部１１１は、上記の照明部及び表示部のシフトに応じた画像補正を行う（ステップＳＴ２７）。すなわち、画像処理部１１１は、入力された画像データから画素ＰＸ毎の映像信号を生成した後に、必要に応じて照明装置ＩＬの輝度レベルに基づき映像信号を伸張するなどの画像補正を施して、補正映像信号を生成する。ここでの画像補正は、照明部と表示部との第１方向Ｘ及び第２方向Ｙに沿った相対的なずれが生じている場合に行われ、ずれ量ΔＸ及びΔＹを考慮した上で適宜画像補正が行われる。つまり、入力された画像データから生成される映像信号は、ずれ量ΔＸ及びΔＹがいずれもゼロであることを前提にしている。このため、各画素の映像信号は、この画素の位置における輝度プロファイルの輝度レベルに応じて適宜伸長されるなどの補正されることで生成される。各画素の補正映像信号は、ずれ量ΔＸ及びΔＹに基づいて輝度プロファイルをシフトさせた後に、当該画素の位置における輝度プロファイルの輝度レベルに応じて適宜補正されることで生成される。これにより、ずれ量ΔＸ及びΔＹがゼロであった場合の輝度レベルと異なる輝度レベルで照明される画素ＰＸは、新たに生成された補正映像信号によって駆動される。  
なお、入力された画像データが赤色に対応する赤（Ｒ）データと、緑色に対応する緑（Ｇ）データと、青色に対応する青（Ｂ）データとを含む場合に、映像信号または補正映像信号として、赤色画素用、緑色画素用、及び、青色画素用の各信号が生成されるが、これらに加えて白色画素用の信号が生成されても良い。
【００６１】
続いて、画像処理部１１１は、生成した補正映像信号に逆ガンマ補正を施す（ステップＳＴ２８）。
【００６２】
続いて、信号処理部１１０は、パネルドライバ１２０に映像信号または補正映像信号と、同期信号とを含む制御信号を出力するとともに、光源ドライバ１３０に駆動信号及び同期信号を含む制御信号を出力する。パネルドライバ１２０は、制御信号に基づいて表示パネルＰＮＬを駆動する。また、光源ドライバ１３０は、制御信号に基づいて光源ＬＳを駆動する（ステップＳＴ２９）。
【００６３】
図１７は、照明部と表示部との位置関係を第１方向Ｘにシフトさせた状態を説明するための図である。ここでは、照明装置ＩＬ、表示パネルＰＮＬ、及び、表示領域ＤＡの各々について、Ｘ−Ｙ平面における各部を模式的に示している。ここに示した例は、図８及び図９に示したずれ量ΔＸが生じている場合に適用可能な画像補正の一例に相当する。
照明装置ＩＬにおいて、照明部ＡＸ１乃至ＡＸ３は、第１方向Ｘに並んでいる。照明部ＡＸ１に向けて発光する光源ＬＳ１、照明部ＡＸ２に向けて発光する光源ＬＳ２、及び、照明部ＡＸ３に向けて発光する光源ＬＳ３は、第１方向Ｘに並んでいる。
【００６４】
表示部Ｐ２１は、第１方向Ｘに並んだサブ表示部Ｐ２１１及びＰ２１２を含む。表示部Ｐ２２は、第１方向Ｘに並んだサブ表示部Ｐ２２１及びＰ２２２を含む。サブ表示部Ｐ２１１は照明部ＡＸ１と重なり、サブ表示部Ｐ２１２及びＰ２２１は照明部ＡＸ２と重なり、サブ表示部Ｐ２２２及び表示部Ｐ２３は照明部ＡＸ３と重なる。照明部ＡＸ１乃至ＡＸ３の各々の輝度レベルは、図７に示した例と同一である。
【００６５】
サブ表示部Ｐ２１２は、ずれ量ΔＸがゼロの場合には、照明部ＡＸ１と重なる。このため、サブ表示部Ｐ２１２を構成する各画素の映像信号は、照明部ＡＸ１の輝度レベル５０％に基づいて生成される。ところが、ずれ量ΔＸが生じた場合には、サブ表示部Ｐ２１２は照明部ＡＸ２と重り、しかも、照明部ＡＸ２の輝度レベルは照明部ＡＸ１の輝度レベルとは異なる。このため、サブ表示部Ｐ２１２を構成する各画素の補正映像信号は、図１４に示した画像補正工程（ステップＳＴ２７）において、照明部ＡＸ２の輝度レベル１００％に基づいて生成される。図示した例では、サブ表示部Ｐ２１２の透過率は５０％に設定される。なお、サブ表示部Ｐ２１１は、ずれ量ΔＸがゼロの場合と同一の照明部ＡＸ１と重なっている。このため、サブ表示部Ｐ２１１の透過率は、ずれ量ΔＸがゼロの場合と同一の１００％に設定される。
【００６６】
同様に、サブ表示部Ｐ２２２は、ずれ量ΔＸがゼロの場合には照明部ＡＸ２と重なるが、図示した例では照明部ＡＸ３と重なる。しかも、照明部ＡＸ３の輝度レベルは、照明部ＡＸ２の輝度レベルとは異なる。このため、サブ表示部Ｐ２２２を構成する各画素の補正映像信号は、照明部ＡＸ３の輝度レベル５０％に基づいて生成される。図示した例では、サブ表示部Ｐ２２２の透過率は１００％に設定される。なお、サブ表示部Ｐ２２１は、ずれ量ΔＸがゼロの場合と同一の照明部ＡＸ２と重なっている。このため、サブ表示部Ｐ２２１の透過率は、ずれ量ΔＸがゼロの場合と同一の５０％に設定される。
【００６７】
領域Ｄ２１のうち、サブ領域Ｄ２１１の輝度レベルは、対応するサブ表示部Ｐ２１１の透過率が１００％であり、照明部ＡＸ１の輝度レベルが５０％であるため、５０％となる。また、サブ領域Ｄ２１２の輝度レベルは、対応するサブ表示部Ｐ２１２の透過率が５０％であり、輝度レベルが１００％の照明部ＡＸ２と重なるため、５０％となる。  
領域Ｄ２２のうち、サブ領域Ｄ２２１の輝度レベルは、対応するサブ表示部Ｐ２２１の透過率が５０％であり、照明部ＡＸ２の輝度レベルが１００％であるため、５０％となる。また、サブ領域Ｄ２２２の輝度レベルは、対応するサブ表示部Ｐ２２２の透過率が１００％であり、輝度レベルが５０％の照明部ＡＸ３と重なるため、５０％となる。  
領域Ｄ２３の輝度レベルは、対応する表示部Ｐ２３の透過率が１００％であり、照明部ＡＸ３の輝度レベルが５０％であるため、５０％となる。このため、領域Ｄ２１乃至Ｄ２３の全体に亘って中間階調に対応したグレー画面が表示され、しかも、領域Ｄ２１乃至Ｄ２３の輝度レベルは均一となる。
【００６８】
図１８は、照明部と表示部との位置関係を第２方向Ｙにシフトさせた状態を説明するための図である。ここに示した例は、図１２及び図１３に示したずれ量ΔＹが生じている場合に適用可能な画像補正の一例に相当する。  
照明装置ＩＬにおいて、照明部ＡＹ１及びＡＹ２は、第２方向Ｙに並んでいる。光源ＬＳ１は、照明部ＡＹ１及びＡＹ２に向けて発光する。  
表示部Ｐ３１は、第２方向Ｙに並んだサブ表示部Ｐ３１１及びＰ３１２を含む。サブ表示部Ｐ３１１は照明部ＡＹ１と重なり、サブ表示部Ｐ３１２及び表示部Ｐ３２は照明部ＡＹ２と重なる。照明部ＡＹ１及びＡＹ２の各々の輝度レベルは、図１３に示した例と同一である。
【００６９】
サブ表示部Ｐ３１２は、ずれ量ΔＹがゼロの場合には、照明部ＡＹ１と重なる。このため、サブ表示部Ｐ３１２を構成する各画素の映像信号は、照明部ＡＹ１の輝度レベル１００％に基づいて生成される。ところが、ずれ量ΔＹが生じた場合には、サブ表示部Ｐ３１２は照明部ＡＹ２と重り、しかも、照明部ＡＹ２の輝度レベルは照明部ＡＹ１の輝度レベルとは異なる。このため、サブ表示部Ｐ３１２を構成する各画素の補正映像信号は、図１４に示した画像補正工程（ステップＳＴ２７）において、照明部ＡＹ２の輝度レベル５０％に基づいて生成される。図示した例では、サブ表示部Ｐ３１２の透過率は１００％に設定される。なお、サブ表示部Ｐ３１１は、ずれ量ΔＹがゼロの場合と同一の照明部ＡＹ１と重なっている。このため、サブ表示部Ｐ３１１の透過率は、ずれ量ΔＹがゼロの場合と同一の５０％に設定される。
【００７０】
領域Ｄ３１のうち、サブ領域Ｄ３１１の輝度レベルは、対応するサブ表示部Ｐ３１１の透過率が５０％であり、照明部ＡＹ１の輝度レベルが１００％であるため、５０％となる。また、サブ領域Ｄ３１２の輝度レベルは、対応するサブ表示部Ｐ３１２の透過率が１００％であり、輝度レベルが５０％の照明部ＡＹ２と重なるため、５０％となる。  
領域Ｄ３２の輝度レベルは、対応する表示部Ｐ３２の透過率が１００％であり、照明部ＡＹ２の輝度レベルが５０％であるため、５０％となる。このため、領域Ｄ３１及びＤ３２の全体に亘って中間階調に対応したグレー画面が表示され、しかも、領域Ｄ３１及びＤ３２の輝度レベルは均一となる。
【００７１】
以上説明したように、本実施形態によれば、入力された画像データに基づいて照明装置の輝度を光源毎に制御する方式において、照明装置と表示パネルとが第１方向Ｘ及び第２方向Ｙの少なくとも一方にずれたとしても、そのずれ量に応じた調整パラメータを用いて、表示パネルの画素単位で輝度を調整することができ、表示品位を改善することができる。換言すると、照明装置と表示パネルとを固定する際に、許容されるずれ量のマージンを拡大することができ、製造歩留りの改善、あるいは、製造コストの削減が可能となる。
【００７２】
図１９は、本実施形態に適用可能な照明装置ＩＬ及び表示パネルＰＮＬの他の構成例を示す図である。上記の構成例では、照明装置ＩＬは、光源が導光板の側面に向けて発光するエッジライト方式を採用したが、この例に限らない。  
照明装置ＩＬは、表示パネルＰＮＬの背面に配置され、表示パネルＰＮＬに向けて光を照射する。照明装置ＩＬは、第１方向Ｘ及び第２方向Ｙにマトリクス状に配置された光源ＬＳを備えている。これらの光源ＬＳは、表示領域ＤＡと対向する位置に配置されている。一例では、１個の光源ＬＳは、複数個の画素ＰＸからなる表示部もしくはサブ表示部と対向するように配置されている。光源ＬＳの各々について、点灯及び消灯や輝度レベルは、個別に制御することができる。  
このような照明装置ＩＬが適用された表示装置においても、上記の構成例と同様に、表示パネルＰＮＬとのずれ量を測定し、ずれ量に応じた調整パラメータが表示装置に記憶されることにより、表示パネルＰＮＬの画素単位で輝度を制御することができる。したがって、上記の構成例と同様の効果が得られる。
【００７３】
上記の本実施形態においては、表示パネルＰＮＬが透過型液晶パネルであり、照明装置ＩＬが表示パネルＰＮＬの背面に位置するバックライトユニットであったが、この組み合わせに限らない。例えば、表示パネルＰＮＬが反射型液晶パネルであり、照明装置ＩＬが表示パネルＰＮＬの前面に位置するフロントライトユニットであっても良い。反射型液晶パネルとフロントライトユニットとの間にずれが生じた場合であっても、ずれ量に応じた範囲の表示部において各画素が補正映像信号によって駆動されることにより、各画素の反射率が補正され、上記実施形態と同様の効果が得られる。
【００７４】
以上説明したように、本実施形態によれば、表示品位を改善することが可能な表示装置、表示装置の駆動方法、及び、表示装置の検査方法を提供することができる。
【００７５】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。
【符号の説明】
【００７６】
ＤＳＰ…表示装置  ＤＡ…表示領域  Ｄ…領域、サブ領域
ＰＮＬ…表示パネル  Ｐ…表示部、サブ表示部  ＰＸ…画素
ＩＬ…照明装置  ＡＸ、ＡＹ…照明部  ＬＳ…光源  ＬＧ…導光板
１００…制御部
１１０…信号処理部
１１１…画像処理部  １１２…メモリ  １１３…タイミングコントローラ
１２０…パネルドライバ
１３０…光源ドライバ
【図１】
2018116181.tif 000003
【図２】
2018116181.tif 000004
【図３】
2018116181.tif 000005
【図４】
2018116181.tif 000006
【図５】
2018116181.tif 000007
【図６】
2018116181.tif 000008
【図７】
2018116181.tif 000009
【図８】
2018116181.tif 000010
【図９】
2018116181.tif 000011
【図１０】
2018116181.tif 000012
【図１１】
2018116181.tif 000013
【図１２】
2018116181.tif 000014
【図１３】
2018116181.tif 000015
【図１４】
2018116181.tif 000016
【図１５】
2018116181.tif 000017
【図１６】
2018116181.tif 000018
【図１７】
2018116181.tif 000019
【図１８】
2018116181.tif 000020
【図１９】
2018116181.tif 000021